(57)【要約】【課題】電子部品が実装された回路基板上にシールドケースを固定する際に、シールドケースの高さにばらつきが生じてしまうことを防止し、製品内及び製品間で製品寸法の均一化を図ることが可能なシールドケースの固定構造等を提供する。【解決手段】電子装置１は、電子部品８が実装された回路基板１２０上に、電子部品８を覆うようにシールドケース１０が固定されたものである。シールドケース１０の長辺壁１１及び短辺壁１２には、切り欠きＴ１が形成されており、シールドケース固定構造１０と回路基板１２０は、その部位で熱硬化性接着剤Ｓ１を介して接合されており、切り欠きＴ１が形成されていない部位において、導電性接着剤Ｓ２を介して互いに接合されている。【選択図】図１
2012238821.tif 000002
【特許請求の範囲】
【請求項１】
回路基板上に実装された電子部品を覆うように、第１の接着剤及び第２の接着剤を用いて前記回路基板に固定されたシールドケースを備える構造であって、
前記第１の接着剤及び前記第２の接着剤は、下記式（１）；
ρ１＞ρ２  …（１）、
ρ１：所定温度における前記第１の接着剤の粘度、
ρ２：所定温度における前記第２の接着剤の粘度、
で表される関係を満たすものであり、
前記シールドケースは、該シールドケースが前記回路基板上に載置された状態において、下記式（２）；
Ｌ１＞Ｌ２  …（２）、
Ｌ１：前記シールドケースにおける前記第１の接着剤が被着される部位と前記回路基板における前記第１の接着剤が被着される部位との距離、
Ｌ２：前記シールドケースにおける前記第２の接着剤が被着される部位と前記回路基板における前記第２の接着剤が被着される部位との距離、
で表される関係を満たすものである、
シールドケース固定構造。
【請求項２】
前記シールドケースにおける前記第１の接着剤が被着される部位に形成された第１の切り欠き、及び／又は、前記回路基板における前記第１の接着剤が被着される部位に形成された第２の切り欠きを有する、
請求項１記載のシールドケース固定構造。
【請求項３】
前記シールドケースにおける前記第２の接着剤が被着される部位に形成された第３の切り欠き、及び／又は、前記回路基板における前記第２の接着剤が被着される部位に形成された第４の切り欠きを有する、
請求項２記載のシールドケース固定構造。
【請求項４】
前記シールドケースにおける前記第１の接着剤が被着される部位、及び／又は、前記回路基板における前記第１の接着剤が被着される部位に、前記第１の接着剤に向かって突設された凸部を有する、
請求項１〜３のいずれか１項記載のシールドケース固定構造。
【請求項５】
回路基板と、
前記回路基板上に実装された電子部品と、
請求項１〜４のいずれか１項記載のシールドケース固定構造によって前記電子部品を覆うように前記回路基板に固定されたシールドケースと、
を備える電子装置。
【発明の詳細な説明】
【技術分野】
【０００１】
本発明は、電子部品が実装された回路基板等の装置にシールドケースを固定するための構造、及び、そのシールドケースを有する装置に関する。
【背景技術】
【０００２】
一般に、基板に、半導体装置（半導体ＩＣチップ等）等の能動部品、コンデンサ（キャパシタ）、インダクタ（コイル）、サーミスタ、抵抗等の受動部品等の電子部品が実装された回路ユニットやプリント配線基板といった電子装置（機器）では、外部への電磁ノイズの漏洩や外部からの電磁ノイズの侵入を遮蔽したり、搭載された電子部品を外力から保護するべく、その電子部品を覆うように金属製のシールドケースが設けられる。
【０００３】
例えば、特許文献１には、電子部品素子が実装された回路基板上に、その電子部品素子を覆うようにシールドキャップ本体が載置されたシールドキャップ付き電子部品が記載されている。また、特許文献２には、電子部品素子が実装された多層回路基板の周縁に切り欠きを設け、その切り欠きに嵌合する形状の固定脚部が周壁に設けられたシールドカバーが、電子部品素子を覆うようにその多層回路基板に上に載置された電子装置が記載されている。
【０００４】
ところで、上記従来のシールドキャップ本体やシールドカバーを基板に固定する方法として、例えば、特許文献１では、電子部品素子とシールドキャップ本体の内壁面を絶縁性樹脂で固着する方法を採用しているが、この場合、導電性部位に付着した半田等の導電性接着剤と絶縁性樹脂が混ざり合って固定時に不具合が生じる懸念が否めない。一方、特許文献２では、シールドカバーが、多層回路基板の切り欠きの部位に、導電性接着剤を介して固着且つ電気的に接続されており、シールドカバーは、電子部品素子の保護のみならず、電子装置のグラウンド（電極）としても機能する。しかし、かかる構成では、導電性接着剤が切り欠きから溢れた場合、隣接する回路と短絡するおそれがある。
【０００５】
また、そのようにシールドケースを電気的なグラウンドとして用いる他の構成として、例えば特許文献３には、シールドケースが設けられた電子装置をリフロー等の熱印加工程でマザーボード等に実装するときに、導電性接着剤が再溶融又は軟化することに起因してシールドケースの位置ずれや脱落等が生じることを防止するべく、シールドケースの接着に導電性接着剤と熱硬化性接着剤を併用する構造が提案されている。
【先行技術文献】
【特許文献】
【０００６】
【特許文献１】特許第３９２１３９６号公報
【特許文献２】特開２００４−２００５０２号公報
【特許文献３】特開２００７−１０３７４９号公報
【発明の概要】
【発明が解決しようとする課題】
【０００７】
しかし、特許文献３に記載された構造では、基板に貫通孔を穿設したり、シールドケースの脚部をその貫通孔に合うように加工したり、その貫通孔の部位に接着剤を位置合わせして固着させたりといった点において、製作工数が増大して生産性の低下とコストの増大を招く可能性がある。よって、かかる不都合を解消するには、特許文献１や特許文献２に記載されたような簡素な形状のシールドケースと基板を用いつつ、リフロー等の熱印加工程対策として、導電性接着剤と熱硬化性接着剤を併用するような固定構造及び方法が望ましい。
【０００８】
そこで、本発明者は、図４（Ａ）及び（Ｂ）に示すようなシールドケースの基板への固定構造について詳細に検討を行った。図４（Ａ）における電子装置１００は、端面が平滑な（直線的に延在する）側壁１１１を有する箱型のシールドケース１１０が、平坦な回路基板１２０の上面に対向するように配置され、両者が、熱硬化性接着剤Ｓ１と導電性接着剤Ｓ２を介して接合されたものである。また、図４（Ｂ）における電子装置２００は、端面から凸状脚部２０２が突設されてなる側壁２１１を有する箱型のシールドケース２１０が、切り欠き２２１を有する回路基板２２０の上面に対向するように配置され、両者が、熱硬化性接着剤Ｓ１と導電性接着剤Ｓ２を介して接合されたものである。
【０００９】
そして、これらの電子装置１００，２００を製作するために、それぞれ回路基板１２０，２２０の図示所定位置に未硬化の熱硬化性接着剤Ｓ１と導電性接着剤Ｓ２の溜まりを被着させ、そこにシールドケース１１０，２１０を載置し、熱硬化性接着剤Ｓ１を硬化させ且つ導電性接着剤Ｓ２を一旦溶融させて固着させるべく、それを加熱・冷却したところ、シールドケースが傾いて固定されてしまい、製品高さにばらつきが生じ得ることが判明した。これらを詳細に観察した結果、導電性接着剤Ｓ２が加熱溶融されたきに、シールドケースのその部位が自重で回路基板側に沈み込むように移動する一方、その時、熱硬化性接着剤Ｓ１は加熱硬化されるので、シールドケースは、その部位では沈み込まない傾向にあることが確認された。このように製品高さが製品内及び製品間で不均一になってしまうと、製品の品質及び規格管理上、好ましくない。
【００１０】
そこで、本発明はかかる事情に鑑みてなされたものであり、電子部品が実装された回路基板上に電子部品を覆うようにシールドケースを固定する際に、固定後のシールドケースの回路基板面からの高さにばらつきが生じてしまうことを防止し、製品内及び製品間で製品寸法（高さ）の均一化を図ることが可能なシールドケースの固定構造、及び、その構造を備える電子装置を提供することを目的とする。
【課題を解決するための手段】
【００１１】
上記課題を解決するために、本発明者は、鋭意研究を重ね、異種の接着剤の加熱時の挙動、特に粘性の相違に着目することにより、本発明を完成するに至った。すなわち、本発明によるシールドケース固定構造は、回路基板上に実装された電子部品を覆うように、第１の接着剤及び第２の接着剤を用いてその回路基板に固定されたシールドケースを備える構造であって、第１の接着剤及び第２の接着剤は、式（１）；
ρ１＞ρ２  …（１）、
で表される関係を満たすものであり、シールドケースは、それが回路基板上に載置された状態において、式（２）；
Ｌ１＞Ｌ２  …（２）、
で表される関係を満たすものである。
【００１２】
ここで、ρ１は、所定温度における第１の接着剤の粘度を示し、ρ２は、その所定温度における第２の接着剤の粘度を示し、Ｌ１は、シールドケースにおける第１の接着剤が被着される部位と回路基板における第１の接着剤が被着される部位との距離（間隔、間隙、ギャップ）を示し、Ｌ２は、シールドケースにおける第２の接着剤が被着される部位と回路基板における第２の接着剤が被着される部位との距離（間隔、間隙、ギャップ）を示す。換言すれば、距離Ｌ１，Ｌ２は、それぞれ、第１の接着剤が被着される部位におけるシールドケースとその直下の回路基板面との間隔、及び、第２の接着剤が被着される部位におけるシールドケースとその直下の回路基板面との間隔である。
【００１３】
このように構成されたシールドケース固定構造では、所定温度における第１の接着剤の粘度ρ１が、その所定温度における第２の接着剤の粘度ρ２よりも大きい（式（１））ので、その所定温度では、第２の接着剤が被着された部位においてシールドケース及び回路基板の一方がその自重で他方側に沈み込む量が、第１の接着剤が固着された部位においてシールドケース及び回路基板の一方がその自重で他方側に沈み込む量に比して大きくなる。換言すれば、その所定温度では第１の接着剤の粘度が比較的大きいので、第２の接着剤が被着された部位におけるシールドケースと回路基板との距離が、第１の接着剤が被着された部位におけるシールドケースと回路基板との距離よりも小さくなり、それにより、シールドケースが回路基板に対して全体的に傾いたり、浮いたりする可能性がある。
【００１４】
例えば、回路基板の鉛直上方にシールドケースが設置され、第２の接着剤の溶融温度ＭＰ（所定温度）に加熱される環境下で上記式（１）の関係が成立する場合、第２の接着剤が被着された部位では、第２の接着剤が溶融してシールドケースが沈み込むように移動し得る。これに対し、その温度で第１の接着剤の粘性が極めて高い（例えば溶融しない）場合、第１の接着剤が被着された部位では、第１の接着剤とシールドケースが干渉してシールドケースが第１の接着剤に支持されて移動し難い。その結果、シールドケースが回路基板に対して全体的に傾きや浮きが発生し得る。
【００１５】
これに対し、上記式（２）で表されるとおり、シールドケースにおける距離Ｌ１が距離Ｌ２よりも予め大きくされているので、シールドケースが回路基板上に載置されて所定温度に加熱されたとき、シールドケースが第２の接着剤に沈み込んでシールドケースと回路基板との距離が近接接近しても、第１の接着剤が影響を受けることがない。よって、シールドケースが全体として回路基板側に傾いたり浮きが生じたりすることを防止することができ、電子装置の製品高さを均一に形成し得る。
【００１６】
この場合、第２の接着剤の溶融温度ＭＰ（所定温度）における第１の接着剤の寸法に基づいて、Ｌ１−Ｌ２の大きさ（切り欠きの場合、その切り欠きの深さの差）が決定されたものであっても好適である。
【００１７】
すなわち、第２の接着剤が溶融した場合に、それが被着された部位におけるシールドケースと回路基板の相対的な移動量（沈み込み量）が最大となり得るので、そのときの第１の接着剤の寸法（その温度での自立高さＨ）を予め求めておき、例えば、Ｌ１−Ｌ２の大きさがその自立高さＨと同程度となるように、シールドケース及び／又は回路基板を形成すれば、シールドケースの傾きがより確実に抑制される。
【００１８】
また、式（２）で表される関係を満たす具体例として、シールドケースにおける第１の接着剤が被着される部位に第１の切り欠きが形成されており、及び／又は、回路基板における第１の接着剤が被着される部位に第２の切り欠きが形成されていてもよい。この場合、式（２）の関係を良好に生起し得るだけでなく、第１の接着剤が変形したときに、その変位量を、第１の切り欠き及び／又は第２の切り欠きで画成される空間によって吸収することができるので、その部位から第１の接着剤がはみ出したり溢れ出したりすることを抑止することができる。
【００１９】
このとき、シールドケース及び／又は回路基板における第２の接着剤が被着される部位にも、それぞれ第３の切り欠き及び／又は第４の切り欠きが形成されていてもよい。この場合、第１の接着剤が被着される部位におけるシールドケースと、その直下の回路基板に形成された第２の切り欠きの底壁面との間隔、及び、第２の接着剤が被着される部位におけるシールドケースと、その直下の回路基板に形成された第４の切り欠きの底壁面との間隔が、それぞれにおいて、上記式（２）における距離Ｌ１，Ｌ２に相当し、式（２）が成立すればよい。
【００２０】
また、こうすれば、第２の接着剤の変位量を、第３の切り欠き及び／又は第４の切り欠きによって吸収することができるので、その部位から第２の接着剤がはみ出したり溢れ出したりすることをも抑止することができる。
【００２１】
さらに、シールドケースにおける第１の接着剤が被着される部位、及び／又は、回路基板における第１の接着剤が被着される部位に、第１の接着剤側に向かって突設された凸部を有いても好ましい。このように構成すれば、その凸部が第１の接着剤に当接し、第１の接着剤を押圧したり、第１の接着剤に陥入して言わばアンカーとして機能し得るので、シールドケースと第１の接着剤との固着力が増強され、シールドケースと回路基板の位置ずれをより効果的に抑制することができる。
【００２２】
また、本発明による電子装置は、本発明のシールドケース固定構造を用いて有効に構成されるものであり、回路基板と、回路基板上に実装された電子部品と、上述したシールドケース固定構造によって電子部品を覆うように回路基板に固定されたシールドケースとを備える。
【発明の効果】
【００２３】
本発明のシールドケース固定構造によれば、上記式（１）に示すように所定温度での粘度が互いに異なる第１の接着剤及び第２の接着剤を用いてシールドケースを基板に固定する際に、その所定温度での変位量が小さい（粘度が高い）方の第１の接着剤が固着される部位において、上記式（２）で表されるように、シールドケースと基板との距離Ｌ１が、第２の接着剤が固着される部位におけるシールドケースと基板との距離Ｌ２よりも予め大きくされている。これにより、第２の接着剤が固着される部位においてのみシールドケースと基板が近接することに起因してシールドケースが傾いてしまったり、浮いてしまうことを有効に防止することができ、その結果、固定後のシールドケースの高さにばらつきが生じてしまうことを抑止して、製品内及び製品間で製品高さの均一化を図ることが可能となる。
【図面の簡単な説明】
【００２４】
【図１】本発明によるシールドケース固定構造及び電子装置に係る第１実施形態の構成を概略的に示す斜視図である。
【図２】（Ａ）は、図１に示す電子装置の正面図であり、（Ｂ）は、本発明によるシールドケース固定構造及び電子装置に係る第２実施形態の正面図である。
【図３】（Ａ）、（Ｂ）、（Ｃ）、及び（Ｄ）は、それぞれ、本発明によるシールドケース固定構造及び電子装置に係る第３、第４、第５、及び第６実施形態の一部を拡大して示す正面図である。
【図４】（Ａ）及び（Ｂ）は、従来のシールドケース固定構造の一例を模式的に示す正面図である。
【発明を実施するための形態】
【００２５】
以下、本発明の実施の形態について詳細に説明する。なお、上下左右等の位置関係は、特に断らない限り、図面に示す位置関係に基づくものとする。また、図面の寸法比率は、図示の比率に限定されるものではない。さらに、以下の実施の形態は、本発明を説明するための例示であり、本発明をその実施の形態のみに限定する趣旨ではない。またさらに、本発明は、その要旨を逸脱しない限り、さまざまな変形が可能である。
（第１実施形態）
【００２６】
図１は、本発明によるシールドケース固定構造及び電子装置に係る第１実施形態の構成を概略的に示す斜視図である。電子装置１は、電子部品８が実装された回路基板１２０上に、電子部品８を覆うようにシールドケース１０が固定されたものである。なお、電子部品８の種類は特に制限されず、例えば、ＣＰＵ（Central Processing Unit）やＤＳＰ（Digital Signal Processor）のように動作周波数が非常に高いデジタルＩＣ、Ｆ-ＲｏｍやＳＤＲＡＭ等のメモリ系ＩＣ、高周波増幅器やアンテナスイッチ、高周波発振回路といったアナログＩＣ等の能動素子や、バリスタ、抵抗、コンデンサ、線路等の受動素子等が挙げられる。
【００２７】
シールドケース１０は、略箱型形状をなし、その長辺壁１１及び短辺壁１２には、切り欠きＴ１（第１の切り欠き）が形成されており、それらの壁端（シールドケース１０の開口の周端）が回路基板１２０の上面１２０ａに対向した状態で固定設置されている。より具体的には、シールドケース１０と回路基板１２０は、切り欠きＴ１が形成された部位において、熱硬化性樹脂又はその樹脂組成物からなる熱硬化性接着剤Ｓ１（第１の接着剤）を介して互いに接合されており、切り欠きＴ１が形成されていない部位において、半田等の導電性接着剤Ｓ２（第２の接着剤）を介して互いに接合されている。なお、図１においては、紙面奥側に位置する長辺壁１１及び短辺壁１２に設けられた切り欠きＴ１、並びに、熱硬化性接着剤Ｓ１及び導電性接着剤Ｓ２の図示を省略した。
【００２８】
ここで、熱硬化性接着剤Ｓ１に用いられる熱硬化性樹脂としては、特に制限されず、例えば、エポキシ樹脂、フェノール樹脂、ビニルベンジルエーテル化合物樹脂、ビスマレイミドトリアジン樹脂、シアネートエステル系樹脂、ポリイミド、ポリオレフィン系樹脂、ポリエステル、ポリフェニレンオキサイド、液晶ポリマー、シリコーン樹脂、フッ素系樹脂等が挙げられ、これらを単独また は複数組み合わせて使用することができる。また、それらの樹脂組成物には、例えば、ゴム成分、無機フィラー（繊維を含む）、酸化物粉末等の適宜の添加剤、更には、他の添加助剤等を含めてもよい。
【００２９】
さらに、熱硬化性接着剤Ｓ１と導電性接着剤Ｓ２は、下記式（１）；
ρ１＞ρ２  …（１）、
で表される関係を満たすものである。ここで、ρ１は、所定温度における熱硬化性接着剤Ｓ１の粘度（絶対粘度：以下同様）を示し、ρ２は、その同じ所定温度における導電性接着剤Ｓ２の粘度を示す。例えば、熱硬化性接着剤Ｓ１の粘度ρ１としては、数十〜数百Ｐａ・ｓ程度が挙げられ、導電性接着剤Ｓ２の粘度ρ２としては、１Ｐａ・ｓオーダー以下程度が挙げられる。
【００３０】
ここで、図２（Ａ）は、図１に示す電子装置１の正面図である。なお、図２（Ａ）においては、図示の都合上、長辺壁１１の延在長方向を縮小して示す。同図に示す如く、熱硬化性接着剤Ｓ１が被着される部位に設けられた切り欠きＴ１は、正面視において略台形状をなすように成形されており、シールドケース１０の長辺壁１１における導電性接着剤Ｓ２が被着される部位Ａは、回路基板１２０の上面１２０ａと平行に形成されている。
【００３１】
また、その部位Ａと、回路基板１２０の上面１２０ａにおける熱硬化性接着剤Ｓ１が被着される部位Ｂとの距離Ｌ１は、シールドケース１０の長辺壁１１における導電性接着剤Ｓ２が被着される部位Ｃと、回路基板１２０の上面１２０ａにおける導電性接着剤Ｓ２が被着される部位Ｄとの距離Ｌ２（本実施形態では、実質的にゼロ）よりも大きくされている。この寸法の大小関係は、シールドケース１０の短辺壁１２においても同様である。すなわち、電子装置１では、下記式（２）；
Ｌ１＞Ｌ２  …（２）、
で表される関係が成立している。
【００３２】
ここで、Ｌ１−Ｌ２の値（本実施形態では略切り欠きＴ１の深さ相応する）は、例えば、予め計測された、導電性接着剤Ｓ２の溶融温度ＭＰ（所定温度）に曝されたときの熱硬化性接着剤Ｓ１の寸法、つまり、その温度条件下における熱硬化性接着剤Ｓ１の自立高さＨに基づいて決定される。
【００３３】
このシールドケース１０を回路基板１２０に固定するには、例えば、まず、回路基板１２０の上面１２０ａの図示所定位置に未硬化の熱硬化性接着剤Ｓ１と導電性接着剤Ｓ２の溜まりを被着させ、そこにシールドケース１０を覆い被せてシールドケース１０の長辺壁１１及び短辺壁１２の壁端（縁端）を導電性接着剤Ｓ２に当接させる。このとき、シールドケース１０の長辺壁１１及び短辺壁１２には切り欠きＴ１が形成されて上記式（２）の関係が成立しているので、熱硬化性接着剤Ｓ１とシールドケース１０の長辺壁１１及び短辺壁１２はとの間には、当接もしくは、若干のギャップが生じ得る。
【００３４】
次に、それを例えば導電性接着剤Ｓ２の溶融温度ＭＰ（所定温度）に所定時間加熱してから冷却する。これにより、導電性接着剤Ｓ２が一旦軟化・溶融（粘度ρ２）するので、熱硬化性接着剤Ｓ２が被着された部位では、シールドケース１０が回路基板１２０側に沈み込んで固着される。一方、熱硬化性接着剤Ｓ１が被着された部位では、シールドケース１０が熱硬化性接着剤Ｓ１に影響を受けることなく当接し、熱硬化されてシールドケース１０が固着される。したがって、シールドケース１０は、全体的に回路基板１２０側に傾いたり浮いたりすることなく固定されるので、電子装置１の製品高さにばらつきが生じることを防止することができる。
【００３５】
また、シールドケース１０の長辺壁１１及び短辺壁１２に切り欠きＴ１が形成されているので、比較的粘度が高い熱硬化性接着剤Ｓ１がシールドケース１０で押圧されて変形しても、その被着部位からはみ出したり溢れ出したりすることを有効に抑止することが可能である。
【００３６】
さらに、導電性接着剤Ｓ２が溶融した場合に、それが被着された部位Ｃ，Ｄにおけるシールドケース１０の回路基板１２０側への沈み込み量（両者の相対的な移動量）が最大となるところ、Ｌ１−Ｌ２の値（切り欠きＴ１の深さ）が、予め計測された導電性接着剤Ｓ２の溶融温度条件下における熱硬化性接着剤Ｓ１の自立高さＨに基づいて決定されているので、シールドケース１０の傾きや浮きをより確実に抑制することができる。
（第２実施形態）
【００３７】
図２（Ｂ）は、本発明によるシールドケース固定構造及び電子装置に係る第２実施形態の正面図である。電子装置２は、シールドケース１０の代わりにシールドケース２０が設けられ、且つ、回路基板１２０の代わりに回路基板２２０が用いられていること以外は、図１及び図２（Ａ）に示す電子装置１と同様に構成されたものである。
【００３８】
シールドケース２０の長辺壁２１及び短辺壁２２において熱硬化性接着剤Ｓ１が被着される部位には、熱硬化性接着剤Ｓ１に向かって突設された凸部２３が形成されており、その端部には切り欠きＴ１と同等の切り欠きＴ２（第１の切り欠き）が形成されている。また、回路基板２２０には、シールドケース２０の凸部２３が嵌合される相補形状の凹部である切り欠き２２２（第２の切り欠き）が形成されている。
【００３９】
この電子装置２においても、シールドケース２０の長辺壁２１及び短辺壁２２における熱硬化性接着剤Ｓ１が被着される部位Ａと、回路基板２２０の上面２２０ａにおける熱硬化性接着剤Ｓ１が被着される部位Ｂとの距離Ｌ１は、シールドケース２０の長辺壁２１及び短辺壁２２における導電性接着剤Ｓ２が被着される部位Ｃと、回路基板２２０の上面２２０ａにおける導電性接着剤Ｓ２が被着される部位Ｄとの距離Ｌ２（本実施形態でも実質的にゼロ）よりも大きくされている。すなわち、電子装置２においても、上記式（２）で表される関係が満たされている。
【００４０】
このように構成された電子装置２では、上述した電子装置１と同様の作用効果（ここでの重複した説明は省略する）に加え、シールドケース２０に形成された凸部２３と回路基板２２０に形成された切り欠き２２２が嵌合するので、シールドケース２０の回路基板２２０への搭載時、及び、その後の熱印加工程における、シールドケース２０と回路基板２２０の相対的な位置ずれの発生を更に効果的に抑制することができる。また、切り欠き２２２が形成されていることにより、熱硬化性接着剤Ｓ１がシールドケース２０で押圧されて変形しても、その被着部位からはみ出したり溢れ出したりし得る熱硬化性接着剤Ｓ１が、回路基板２２０の上面２２０ａに拡がることをより確実に抑えることが可能となる。
（第３〜第６実施形態）
【００４１】
図３（Ａ）、（Ｂ）、（Ｃ）、及び（Ｄ）は、それぞれ、本発明によるシールドケース固定構造及び電子装置に係る第３、第４、第５、及び第６実施形態の一部を拡大して示す正面図であり、図１及び図２（Ａ）に示す電子装置１のシールドケース１０に形成された切り欠きの他の形状の例を示す図である。
【００４２】
図３（Ａ）に示す切り欠きＴ３（第１の切り欠き）は、図２（Ａ）に示す切り欠きＴ１の底壁に、熱硬化性接着剤Ｓ１側に突設された凸部３３が設けられた形状を有し、凸部３３の両側に相対的に凹んだ耳部４３，４３が画成されている。シールドケース１０の長辺壁１１における導電性接着剤Ｓ１が被着される部位Ａである凸部３３の凸辺は、回路基板１２０の上面１２０ａと平行に形成されている。
【００４３】
また、図３（Ｂ）に示す切り欠きＴ４（第１の切り欠き）は、図２（Ａ）に示す切り欠きＴ１の底壁に、熱硬化性接着剤Ｓ１側に突設された凸部３４が設けられた形状を有し、凸部３４の両側に相対的に凹んだ耳部４４，４４が画成されている。シールドケース１０の長辺壁１１における導電性性接着剤Ｓ１が被着される部位Ａである凸部３４の凸辺は、なだらかに湾曲している。
【００４４】
さらに、図３（Ｃ）に示す切り欠きＴ５（第１の切り欠き）は、図２（Ａ）に示す切り欠きＴ１の底壁に、熱硬化性接着剤Ｓ１側に突設された凸部３５が設けられた形状を有し、凸部３５の両側に相対的に凹んだ耳部４５，４５が画成されている。シールドケース１０の長辺壁１１における導電性性接着剤Ｓ１が被着される部位Ａである凸部３５の凸辺は、上記図３（Ｂ）に示す凸部３４よりもやや大きな曲率で湾曲している。
【００４５】
さらに、図３（Ｄ）に示す切り欠きＴ６（第１の切り欠き）は、図２（Ａ）に示す切り欠きＴ１の底壁に、熱硬化性接着剤Ｓ１側に突設された凸部３６が設けられた形状を有し、凸部３６の両側に相対的に凹んだ耳部４６，４６が画成されている。シールドケース１０の長辺壁１１における導電性性接着剤Ｓ１が被着される部位Ａである凸部３５の凸辺は、その中心点付近において鋭角に屈曲され尖塔状をなしている。
【００４６】
このように形成された凸部３４〜３６は、熱硬化性接着剤Ｓ１に当接してそれを押圧した状態で硬化され、熱硬化性接着剤Ｓ１に陥入してアンカーとして機能し得るので、シールドケース１０と熱硬化性接着剤Ｓ１との固着力が一層高められ、これにより、シールドケース１０と回路基板１２０に相対的な位置ずれが発生してしまうことを十分に抑止することができる。この点において、シールドケースに形成される凸部は、熱硬化性接着剤Ｓ１に陥入し易い部分を有していることが好ましい。
【００４７】
また、これらの各実施形態の電子装置においても、シールドケース１０の長辺壁１１及び短辺壁１２における熱硬化性接着剤Ｓ１が被着される部位Ａと、回路基板１２０の上面１２０ａにおける熱硬化性接着剤Ｓ１が被着される部位Ｂとの距離Ｌ１は、シールドケース１０の長辺壁１１及び短辺壁１２における導電性接着剤Ｓ２が被着される部位Ｃと、回路基板１２０の上面１２０ａにおける導電性接着剤Ｓ２が被着される部位Ｄとの距離Ｌ２（図２（Ａ）参照；本各実施形態でも実質的にゼロ）よりも大きくされている。すなわち、これらの電子装置においても、上記式（２）で表される関係が満たされており、上述した電子装置１と同様の作用効果が奏される（ここでの重複した説明は省略する）。
【００４８】
また、各切り欠きＴ３〜Ｔ６の内側に耳部４３〜４６が画成されていることにより、シールドケース１０に押圧された熱硬化性接着剤Ｓ１の一部がそこに逃げるよう移動するので、その被着部位からはみ出したり溢れ出したりし得る熱硬化性接着剤Ｓ１が、切り欠きＴ３〜Ｔ６から回路基板１２０の上面１２０ａに拡がることを更に確実に抑制することができる。
【００４９】
なお、上述したとおり、本発明は上記各実施形態に限定されるものではなく、その要旨を変更しない限度において様々な変形が可能である。例えば、電子装置１の回路基板１２０において、シールドケース１０の切り欠きＴ１に対向する部位に切り欠き（第２の切り欠き）を設けてもよく、この場合、電子装置２のシールドケース２０に突設されているような凸部２３を形成してもしなくてもよい。また、シールドケース１０，２０、及び／又は、回路基板１２０，２２０における導電性接着剤Ｓ２が被着される部位Ｃ，Ｄにも、切り欠き（それぞれ、第３の切り欠き、及び、第４の切り欠き）が形成されていてもよい。
【００５０】
さらに、そのような導電性接着剤Ｓ２が軟化・溶融したときの変形を吸収し得る切り欠きや凹部を、導電性接着剤Ｓ２が被着される部位の周辺に設けてもよい。またさらに、切り欠きＴ１〜Ｔ６や他の切り欠きは、台形状やそれに近い矩形状に限らず、例えば、半円、半楕円、一部円等の形状であってもよい。或いは、シールドケース１０，２０及び回路基板１２０，２２０における部位Ａ、Ｂ、Ｃ、及びＤは、製作上の制限がなければ、例えば、櫛歯状に形成されていてもよい。加えて、シールドケース１０，２０は、断面矩形の箱型でなくてもよく、他の任意の断面形状のものであってもよく、さらに、底壁（設置状態において天壁）や側壁が板状に閉じていなくてもよく、例えば、メッシュ状であっても構わない。また、第１の接着剤及び第２の接着剤は、それぞれ熱硬化性接着剤Ｓ１及び導電性接着剤Ｓ２に限定されず、所定温度における両者の粘度が異なるものであれば、本発明を好適に適用することが可能である。
【産業上の利用可能性】
【００５１】
以上説明したとおり、本発明のシールドケース固定構造及びそれを備える電子装置によれば、使用される第１の接着剤及び第２の接着剤が式（１）で表される関係を満たし、且つ、シールドケース及び回路基板が、上記式（２）で表される関係を満足するので、回路基板にシールドケースを固定する際に、その高さにばらつきが生じてしまうことを防止し、製品内及び製品間で製品寸法の均一化を図ることが可能であるので、種々の電子部品、殊に高周波で動作する電子部品が搭載された回路基板のシールド全般、及び、電子装置、モジュール、機器、設備、システム、並びに、それらの製造や運転に、広く且つ有効に利用することができる。
【符号の説明】
【００５２】
１，２…電子装置（本発明によるシールドケース固定構造を備える）、８…電子部品、１０，２０…シールドケース、１１，２１…長辺壁、１２，２２…短辺壁、２３，３３，３４，３５，３６…凸部、４３，４４，４５，４６…耳部、１００，２００…電子装置（従来）、１１０，２１０…シールドケース、１１１，２１１…側壁、１２０，２２０…回路基板、１２０ａ，２２０ａ…上面、２０２…凸状脚部、２２１…切り欠き、２２２…切り欠き（第２の切り欠き）、Ａ，Ｂ，Ｃ，Ｄ…部位、Ｓ１…熱硬化性接着剤（第１の接着剤）、Ｓ２…導電性接着剤（第２の接着剤）、Ｔ１，Ｔ２，Ｔ３，Ｔ４，Ｔ５，Ｔ６…切り欠き（第１の切り欠き）。
【図１】
2012238821.tif 000003
【図２】
2012238821.tif 000004
【図３】
2012238821.tif 000005
【図４】
2012238821.tif 000006